(57)【要約】【課題】            従来知られている内封物のパック構造体には格別なセキュリティのための手段がなく、内封物を取り出されたり、すり替えられたりしても、その事実をなかなか把握することができないことや、内封物のサイズが特定されてしまっていて、複数のサイズをした内封物に対応させるためには別々の型を必要としていたという点である。【解決手段】        周縁に立壁を一体的に備えたプレート本体と、少なくともそのプレート本体の表面を被覆するカバー体とより成り、前記したプレート本体の表面には一以上の内封物収納凹部及びＩＣタグ収納用凹部を形成するとともに、プレート本体の表面には前記した収納された内封物を可視とする窓部を形成したデザインシートを重合させ、そのデザインシート及び前記カバー体とプレート本体とを接着し一体化してあることとし、内封物収納凹部の底面には肉薄としたセンサー信号波の透過用溝を形成してあることとする。【選択図】          図１
2007131335.tif 000002
【特許請求の範囲】
【請求項１】
周縁に立壁を一体的に備えたプレート本体と、少なくともそのプレート本体の表面を被覆するカバー体とより成り、前記したプレート本体の表面には一以上の内封物収納凹部及びＩＣタグ収納用凹部を形成するとともに、プレート本体の表面には前記した収納された内封物を可視とする窓部を形成したデザインシートを重合させ、そのデザインシート及び前記カバー体とプレート本体とを接着し一体化してあることを特徴とする内封物のパック構造体。
【請求項２】
前記した内封物収納凹部の底面には肉薄としたセンサー信号波の透過用溝を形成してあることを特徴とする請求項１に記載の内封物のパック構造体。
【請求項３】
前記したデザインシートには紫外線の照射に反応して表出する発光文字や図柄がプリントされていることを特徴とする請求項１または請求項２に記載の内封物のパック構造体。
【請求項４】
前記した内封物とプレート本体の表面との間にパッドプリントによる割印を施してあることを特徴とする請求項１、請求項２または請求項３に記載の内封物のパック構造体。
【請求項５】
前記したカバー体はプレート本体の立壁を外側から覆う垂壁を有するものとし、接着はプレート本体もしくはカバー体に形成された突部を当接させて超音波を用いた加熱処理により溶着していることを特徴とする請求項１、請求項２、請求項３または請求項４に記載の内封物のパック構造体。
【請求項６】
前記したデザインシートには無機質の蛍光塗料が少なくとも部分的に塗布されていることを特徴とする請求項１、請求項２、請求項３、請求項４または請求項５に記載の内封物のパック構造体。
【発明の詳細な説明】
【技術分野】
【０００１】
本発明は内封物のパック構造体、主として純金をはじめとする貴金属のインゴット、コイン、メダル、宝石等比較的経済的価値が高いもの、あるいは個人的に記念品として価値のある物を内封物として密封し、保存したり、携行、あるいは室内の装飾として利用、さらにはマシンゲームの賞品等として利用することができる内封物のパック構造体に関する。
【背景技術】
【０００２】
従来より、前記した目的をもって、二枚のプラスチックプレートを用い、間に内封物を挟持させ、全体としてカード状とした内封物のパック構造体の存在は知られているところである。
【０００３】
しかしながら、この従来のパック構造体はプラスチックプレートによって構成される外装体の接着等の関係から、治具を用いることでもしくは自然剥離によって比較的簡単に内封物を取り出したり、入れ替えてしまう行為が実行し易いものとなっており、特に複数のパックを重合した場合等、その中間にあるパック構造体の内封物の確認が目視でなされないことも多く、単にパック構造体の数個数をカウントするに止まることも多い。
【特許文献１】実用新案登録第３０９００７５号公報
【発明の開示】
【発明が解決しようとする課題】
【０００４】
本発明が解決しようとする問題点は、従来知られている内封物のパック構造体には格別なセキュリティのための手段がなく、内封物を取り出されたり、すり替えられたりしても、その事実をなかなか把握することができず、多大な損害をこうむってしまうことがあったという点である。
【０００５】
また、従来の内封物のパック構造体は内封物のサイズが特定されてしまっており、複数のサイズをした内封物に対応させるためには別々の型を必要としていたという点である。
【課題を解決するための手段】
【０００６】
上記した問題点を解決するために、本発明に係る内封物のパック構造体は周縁に立壁を一体的に備えたプレート本体と、少なくともそのプレート本体の表面を被覆するカバー体とより成り、前記したプレート本体の表面には一以上の内封物収納凹部及びＩＣタグ収納用凹部を形成するとともに、プレート本体の表面には前記した収納された内封物を可視とする窓部を形成したデザインシートを重合させ、そのデザインシート及び前記カバー体とプレート本体とを接着し一体化してあることを特徴とし、前記した内封物収納凹部の底面には肉薄としたセンサー信号波の透過用溝を形成してあることを特徴としている。
【０００７】
また、本発明に係る内封物のパック構造体は前記したデザインシートには紫外線の照射に反応して表出する発光文字や図柄がプリントされていることを特徴とし、前記した内封物とプレート本体の表面との間にパッドプリントによる割印を施してあることを特徴としている。
【０００８】
さらに、本発明に係る内封物のパック構造体は前記したカバー体はプレート本体の立壁を外側から覆う垂壁を有するものとし、接着はプレート本体もしくはカバー体に形成された突部を当接させて超音波を用いた加熱処理により溶着していることを特徴とし、前記したデザインシートには無機質の蛍光塗料が少なくとも部分的に塗布されていることを特徴としている。
【発明の効果】
【０００９】
本発明に係る内封物のパック構造体は上記したような構造的特徴を有している。そのため、透過センサー、ＩＣタグ、割印等幾重にも亘ってセキュリティを施してあり、内封物の抜き取りやすり替えがあれば直ちにそれを検知することができるようになり、パック構造体を多重に束ねた状態でも前記した行為の存在を感知、確認することができるものとなっている。
【００１０】
また、デザインシートの窓部の大きさを調整しておき、内封物のサイズが小さい場合は縁取りをする等することで多種のサイズの内封物に一枚のデザインシートで対応することも可能となる。
【発明を実施するための最良の形態】
【００１１】
図面として示す実施例のように構成することで実現した。
【実施例１】
【００１２】
次に、本発明の好ましい実施の一例を図面を参照して説明する。図１は本発明を実施した内封物のパック構造体を示す分解斜視図、図２は同じく部分断面図である。
【００１３】
これらの図にあって５はプレート本体を示しており、このプレート本体５はプラスチックで略矩形に成形され、その周縁には立壁７を一体に形成している。一方、図中１は前記したプレート本体５の上面からその表面を被覆するプラスチック製のカバー体であり、このカバー体１の周縁にはプレート本体５の立壁７を外面から覆う垂壁８が一体に形成されたものとなっている。
【００１４】
前記したプレート本体５の表面には例えばインゴット等の内封物４を収納するための収納凹部９、９が少なくとも一以上、実施例では二つ形成されている。この収納凹部９、９はそれぞれサイズが異なっており、大きいもの、小さいものを各々選択して収納することができるようにしてある。
【００１５】
また、この収納凹部９、９の底面の一部には肉薄とした透過センサー用溝６、６が形成されているもので、この溝６、６に例えば光波等の無線情報を透過させてやることで内封物４の存在を確認することができることとなる。
【００１６】
さらに、プレート本体５の表面略中央にはＩＣタグ３の収納凹部１０も形成されているもので、ＩＣタグ３をパック構造体に保有させることで、パック構造体の流通過程の存在位置の確認やパック構造体自体の不法な持ち出し行為等をチェックし、監視する事ができることとなる。
【００１７】
そして、前記した収納凹部９に内封物４が収納された時に、その内封物４とプレート本体５の表面との間にパッドプリントによって割印１１、１１が施される。この割印１１の存在によっても内封物４の真贋をチェックすることができる。
【００１８】
内封物４、ＩＣタグ３が収納されると、その表面にはデザインシート２が載置される。このデザインシート２には内封物４を目視確認するための窓部１２が形成されている。この窓部１２は大きめとなる内封物４のサイズに合わせてあり、小さめの内封物を収納した場合は窓部１２の位置を入れ替えた状態とし、縁取り部材を介在させてデザインシート２を反転させセットすることとなる。尚、この窓部１２には通例、透明の被覆フィルムが備えられることになる。
【００１９】
このデザインシート２はプレート本体５の立壁７内に収納されるものとなっており、プレート本体５の表面に形成されている突部（突起もしくは突条）１３とその底面を当接され、その突部１３との間で超音波等による熱溶着で一体化されるものとなっている。
【００２０】
プレート本体５とカバー体１との接着は、本実施例の場合、カバー体１の内面に形成されている突部（突起、突条）１４と立壁７の上表面とを当接させ、超音波等による加熱溶着で一体的に接着している。この突部１４の位置は立壁７側に形成してもよいことは勿論である。
【００２１】
また、デザインシート２には紫外線（ブラックライト）を照射することで浮かび上がる文字や図柄を蛍光塗料で形成しておくこともでき、真贋の判定を行なうことが可能となる。又、蛍光塗料は無機質のものを使用することで劣化が少なく、製品寿命を長くすることができる。この蛍光塗料は紫外線に対応するものと別途として塗布することもできるものとなっている。
【産業上の利用可能性】
【００２２】
本実施例に係る内封物のパック構造体は上記のように構成されている。実施例ではプレート本体５にカバー体１を被冠させる構造としているが、二枚のプレートとして重合させたり、カバー体１をボックス状として内部にプレート本体５を封入するような構成とすることも可能であり、プレート本体５やカバー体としてプラスチックに限らず金属、セラミック等の可塑性材を用いることも可能である。
【図面の簡単な説明】
【００２３】
【図１】本発明を実施した内封物のパック構造体を示す分解斜視図である。
【図２】部分断面図である。
【符号の説明】
【００２４】
１    カバー体
２    デザインシート
３    ＩＣタグ
４    内封物
５    プレート本体
６    透過センサー用溝
７    立壁
８    垂壁
９    収納凹部
１０  収納凹部
１１  割印
１２  窓部
【図１】
2007131335.tif 000003
【図２】
2007131335.tif 000004